【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含む、約０．５から約１０乾燥時重量パーセントの局所的に付与された柔軟化化合物を有し、前記ポリアルキレン酸化物と前記脂肪アルキル派生物との組み合わされた量が、約２５重量パーセント又はこれより大きいことを特徴とするティッシュシート。
【請求項２】
１又はそれ以上の前記ポリシロキサンは、次のような一般構造を有し、
【数１】
2010507435.tif 000001
ここで、
「ｍ」は、１０から１００，０００であり、
「ｎ」は、１から１０，０００であり、
「ｐ」は、０から１，０００であり、
「Ａ」及び「Ｂ」は、独立して、水酸基、Ｃ1からＣ20又はＲ2であり、
Ｒ1、Ｒ2及びＲ3は、不規則に又はブロック状に分散され、
Ｒ1は、Ｃ1からＣ8の遊離基で、直鎖状、分枝鎖状又は環鎖状とすることができ、
Ｒ2は、Ｃ1からＣ8の遊離基で、直鎖状、分枝鎖状又は環鎖状、又は
【数２】
2010507435.tif 000002
の構造とすることができ、
ここで、
Ｒ4及びＲ5は、独立して、Ｃ2からＣ8のアルキレン二端遊離基であって、直鎖状又は分枝鎖状とすることができ、置換基又は非置換基とすることができ、
Ｘは、酸素又はＮ−Ｒ8であり、
Ｒ6、Ｒ7、及びＲ8は、独立して、水素、置換基又は非置換基のＣ1又はＣ2、置換基又は非置換基の直鎖状又は分枝鎖状又は環鎖状のＣ3からＣ20のアルキ基、又はアセチル基などのアシル基であり、
「ｓ」は、０又は１であり、
Ｒ3は、R9−Y−[C2H4O]r−[C3H6O]q−R10の構造であり、
ここで、
Ｙは、酸素又はＮ−Ｒ11であり、
Ｒ9は、Ｃ2からＣ8アルキレン二端遊離基で、直鎖状又は分枝鎖状とすることができ、置換基又は非置換基とすることができ、
Ｒ10及びＲ11は、独立して、水素、置換基又は非置換基のＣ1又はＣ2、置換基又は非置換基、直鎖状又は分枝鎖状又は環鎖状のＣ3からＣ20のアルキル基であり、
「ｒ」は、１から１００，０００であり、
「ｑ」は、０から１００，０００である、
ことを特徴とする請求項１に記載のティッシュシート。
【請求項３】
Ｒ2は、ジアミン又はモノアミンを有するアルキレン置換基であることを特徴とする請求項２に記載のティッシュ。
【請求項４】
Ｒ2＝Ｒ1で、「Ａ」及び「Ｂ」は、窒素クオタニウムであることを特徴とする請求項２に記載のティッシュ。
【請求項５】
前記ポリアルキレン酸化物は、次のような一般構造を有し、
R12−[C2H4O ]i−[C3H6O]j−[CtH2tO]v−R13
ここで、
Ｒ12及びＲ13は、独立して、水素、置換基又は非置換基のＣ1からＣ6のアルキル基、直鎖状又は分枝鎖状のＣ1からＣ6アルキル基、又は環鎖状のＣ1からＣ6のアルキル基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項１に記載のティッシュ。
【請求項６】
前記ポリアルキレン酸化物は、ポリエチレン酸化物又はポリエチレングリコールであることを特徴とする請求項４に記載のティッシュ。
【請求項７】
前記ポリエチレン酸化物又はポリエチレングリコールは、６００より大きい分子量を有することを特徴とする請求項６に記載のティッシュ。
【請求項８】
前記ポリアルキレン酸化物は、ポリエチレングリコールであることを特徴とする請求項４に記載のティッシュ。
【請求項９】
前記脂肪アルキル派生物は、次のような一般構造を有し、
Ｒ14−Ｇ
ここで、
Ｒ14は、Ｃ8からＣ40のアルキル遊離基であって、置換基又は非置換基、一次、二次又は三次とすることができ、直鎖状、分枝鎖状、又は環鎖状とすることができ、
「Ｇ」は、ヒドロキシ、アミン、スルホン酸塩、硫酸塩、リン酸塩、酸又は酸派生物、又は−Q-[C2H4O ]i−[C3H6O]j−[CtH2tO]v−R13であり、
ここで、
「Ｑ」は、酸素基、ＮＨ基又はN-[C2H4O}i−[C3H6O]j−[CtH2tO]v−R13であり、
Ｒ13は、水素、置換基又は非置換基のＣ1からＣ6のアルキル遊離基、直鎖状又は分枝鎖状のＣ1からＣ6のアルキル遊離基、又は環鎖状のＣ1からＣ6のアルキル遊離基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項１に記載のティッシュ。
【請求項１０】
前記脂肪アルキル派生物は、エトキシレートアルコール又はエトキシレートアルコールの混合物であることを特徴とする請求項１に記載のティッシュ。
【請求項１１】
エトキシレートアルコールは、１２又はこれより大きい炭素鎖長さを有することを特徴とする請求項１０に記載のティッシュ。
【請求項１２】
前記脂肪アルキル派生物は、エトキシレートトリデシルアルコールまたはエトキシレートセチルアルコールであることを特徴とする請求項１０に記載のティッシュ。
【請求項１３】
前記ポリシロキサンは、アミノ派生したポリシロキサンで、前記脂肪アルキル派生物は、アルキレンオキシレートアルコールであることを特徴とする請求項１に記載のティッシュ。
【請求項１４】
前記ティッシュ柔軟化化合物は、約７０重量パーセントのアミノポリシロキサンと、約３０重量パーセントのエトキシレートアルコール又はエトキシレートアルコールの混合物とを含むことを特徴とする請求項１に記載のティッシュ。
【請求項１５】
前記ティッシュ柔軟化化合物は、約５０から約７０重量パーセントのアミノポリシロキサンと、約３０から約５０重量パーセントのポリエチレングリコールとを含むことを特徴とする請求項１に記載のティッシュ。
【請求項１６】
前記ティッシュ柔軟化化合物は、約５０から約７０重量パーセントのアミノポリシロキサンと、約３０から約５０重量パーセントの、少なくとも１つのポリエチレングリコールと少なくとも１つの脂肪アルキル派生物の混合物とを含むことを特徴とする請求項１に記載のティッシュ。
【請求項１７】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、前記ポリアルキレン酸化物と前記脂肪アルキル派生物との組み合わされた量は、約２５重量パーセント又はこれより大きく、
１又はそれ以上の前記ポリシロキサンは、次のような一般構造を有し、
【数３】
2010507435.tif 000003
ここで、
「ｍ」は、１０から１００，０００であり、
「ｎ」は、１から１０，０００であり、
「ｐ」は、０から１，０００であり、
「Ａ」及び「Ｂ」は、独立して、水酸基、Ｃ1からＣ20又はＲ2であり、
Ｒ1、Ｒ2及びＲ3は、不規則に又はブロック状に分散され、
Ｒ1は、Ｃ1からＣ8の遊離基で、直鎖状、分枝鎖状又は環鎖状とすることができ、
Ｒ2は、Ｃ1からＣ8の遊離基で、直鎖状、分枝鎖状又は環鎖状、又は
【数４】
2010507435.tif 000004
の構造とすることができ、
ここで、
Ｒ4及びＲ5は、独立して、Ｃ2からＣ8のアルキレン二端遊離基であって、直鎖状又は分枝鎖状とすることができ、置換基又は非置換基とすることができ、
Ｘは、酸素又はＮ−Ｒ8であり、
Ｒ6、Ｒ7、及びＲ8は、独立して、水素、置換基又は非置換基のＣ1又はＣ2、置換基又は非置換基の直鎖状又は分枝鎖状又は環鎖状のＣ3からＣ20のアルキ基、又はアセチル基などのアシル基であり、
「ｓ」は、０又は１であり、
Ｒ3は、R9−Y−[C2H4O]r−[C3H6O]q−R10の構造であり、
ここで、
Ｙは、酸素又はＮ−Ｒ11であり、
Ｒ9は、Ｃ2からＣ8アルキレン二端遊離基で、直鎖状又は分枝鎖状とすることができ、置換基又は非置換基とすることができ、
Ｒ10及びＲ11は、独立して、水素、置換基又は非置換基のＣ1又はＣ2、置換基又は非置換基、直鎖状又は分枝鎖状又は環鎖状のＣ3からＣ20のアルキル基であり、
「ｒ」は、１から１００，０００であり、
「ｑ」は、０から１００，０００である、
ことを特徴とする柔軟化化合物。
【請求項１８】
Ｒ2＝Ｒ1で、「Ａ」及び「Ｂ」は、窒素クオタニウムであることを特徴とする請求項１７に記載の化合物。
【請求項１９】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、前記ポリアルキレン酸化物と前記脂肪アルキル派生物との組み合わされた量は、約２５重量パーセント又はこれより大きく、
前記ポリアルキレン酸化物は、次のような一般構造を有し、
R12−[C2H4O}i−[C3H6O]j−[CtH2tO]v−R13
ここで、
Ｒ12及びＲ13は、独立して、水素、置換基又は非置換基のＣ1からＣ6のアルキル基、直鎖状又は分枝鎖状のＣ1からＣ6アルキル基、又は環鎖状のＣ1からＣ6のアルキル基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする柔軟化化合物。
【請求項２０】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、前記ポリアルキレン酸化物と前記脂肪アルキル派生物との組み合わされた量は、約２５重量パーセント又はこれより大きく、
前記脂肪アルキル派生物は、次のような一般構造を有し、
Ｒ14−Ｇ
ここで、
Ｒ14は、Ｃ8からＣ40のアルキル遊離基であって、置換基又は非置換基、一次、二次又は三次とすることができ、直鎖状、分枝鎖状、又は環鎖状とすることができ、
「Ｇ」は、ヒドロキシ、アミン、スルホン酸塩、硫酸塩、リン酸塩、酸又は酸派生物、又は−Q-[C2H4O]i−[C3H6O]j−[CtH2tO]v−R13であり、
ここで、
「Ｑ」は、酸素基、ＮＨ基又はN-[C2H4O}i−[C3H6O]j−[CtH2tO]v−R13であり、
Ｒ13は、水素、置換基又は非置換基のＣ1からＣ6のアルキル遊離基、直鎖状又は分枝鎖状のＣ1からＣ6のアルキル遊離基、又は環鎖状のＣ1からＣ6のアルキル遊離基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする柔軟化化合物。